(57)【特許請求の範囲】
【請求項１】
心線が非導電性の心線被覆で覆われたケーブル本体と、
前記心線被覆の外周面を覆って前記心線被覆の長手方向に沿って隙間なく配設された導電性の探査用導体と、
前記探査用導体を覆う非導電性の導体被覆と、
を備え、測定端子を前記導体被覆に押し入れると、前記測定端子と前記探査用導体とが電気的に導通する、ことを特徴とする判別機能付きケーブル。
【請求項２】
請求項１に記載の判別機能付きケーブルの前記導体被覆の任意の第１の測定位置に押し入れて、前記探査用導体と電気的に導通する第１の測定端子と、
前記導体被覆の任意の第２の測定位置に押し入れて、前記探査用導体と電気的に導通する第２の測定端子と、
前記第１の測定端子と前記第２の測定端子とに接続され、前記第１の測定位置と前記第２の測定位置との間における電気的な値を測定する測定部と、
を備えることを特徴とするケーブル判別装置。
【請求項３】
前記測定部で測定された電気的な値が所定の値であるか否かを判定し、判定結果を出力する出力部を備えることを特徴とする請求項２に記載のケーブル判別装置。
【請求項４】
請求項１に記載の判別機能付きケーブルの前記導体被覆の任意の第１の測定位置に、第１の測定端子を押し入れて前記探査用導体と電気的に導通させる第１の導通ステップと、
前記導体被覆の任意の第２の測定位置に、第２の測定端子を押し入れて前記探査用導体と電気的に導通させる第２の導通ステップと、
前記第１の測定位置と前記第２の測定位置との間における電気的な値を測定する測定ステップと、
前記測定ステップで測定した電気的な値が所定の値であるか否かを判定する判定ステップと、
を備えることを特徴とするケーブル判別方法。
【発明の詳細な説明】
【技術分野】
【０００１】
この発明は、複数のケーブルのなかから特定のケーブルを容易に判別できるようにする機能を備えた判別機能付きケーブル、複数のケーブルのなかから特定のケーブルを判別するためのケーブル判別装置およびケーブル判別方法に関する。
【背景技術】
【０００２】
例えば、発電所や変電所などのケーブルピットやダクト内には、多くの制御ケーブルが整理されずに雑然と絡み合って敷設されている場合がある。このような場合、制御ケーブルの撤去時やトラブル対応時などに対象の制御ケーブルを判別・特定するには、片方のケーブル端部（例えば、機器の端子台側）から目視や手で少しずつ追っていく必要があり、多大な労力と時間を要していた。
【０００３】
このため、ケーブルの信号線の被覆部材内に光ファイバを配設し、光ファイバの一端から光を入射して他端から光を出射させることで、特定のケーブルを判別する技術が知られている（例えば、特許文献１参照。）。また、ケーブルの一方のコネクタに設けられた第１ＩＣタグと、他方のコネクタに設けられた第２ＩＣタグから、それぞれ識別情報を取得し、２つの識別情報に基づいて一方のコネクタと他方のコネクタが同一ケーブルに属するか否かを判別する技術が知られている（例えば、特許文献２参照。）。
【先行技術文献】
【特許文献】
【０００４】
【特許文献１】特開２０１３−１９６９６０号公報
【特許文献２】特開２００６−２４３８３４号公報
【発明の概要】
【発明が解決しようとする課題】
【０００５】
ところで、発電所や変電所のケーブルピット内には、多くのケーブルが重なって敷設されている。このため、特許文献１の技術を適用する場合、ケーブルの重量によって光ファイバが破損するおそれがある。また、光ファイバの他端から光が出射するだけであり、他端からでなければケーブルを判別することができず、ケーブルの途中では（ピット内では）ケーブルを判別することができない。
【０００６】
同様に、特許文献２の技術においても、ケーブルのコネクタに設けられたＩＣタグでしか、つまり、ケーブルの両端でしかケーブルを判別することができず、ケーブルの途中では判別することができない。また、ケーブルの両コネクタにＩＣタグを設けて識別情報等を管理しなければならず、設備費や管理費が嵩む。
【０００７】
そこでこの発明は、複数のケーブルのなかから特定のケーブルを任意の位置で容易に判別可能な、判別機能付きケーブル、ケーブル判別装置およびケーブル判別方法を提供することを目的とする。
【課題を解決するための手段】
【０００８】
上記課題を解決するために、請求項１の発明は、心線が非導電性の心線被覆で覆われたケーブル本体と、前記心線被覆の外周面を覆って前記心線被覆の長手方向に沿って隙間なく配設された導電性の探査用導体と、探査用導体を覆う非導電性の導体被覆と、を備え、測定端子を前記導体被覆に押し入れると、前記測定端子と前記探査用導体とが電気的に導通する、ことを特徴とする判別機能付きケーブルである。
【０００９】
この発明によれば、例えば、判別対象とわかっている判別機能付きケーブルＡの導体被覆に、テスタなどの第１の測定端子を押し入れて探査用導体と電気的に導通させ、判別対象とわかっていない判別機能付きケーブルＢの導体被覆に、テスタなどの第２の測定端子を押し入れて探査用導体と電気的に導通させる。次に、第１の測定端子と第２の測定端子との間における電気的な値をテスタなどで測定し、測定した値が所定の値であるか否かによって、判別機能付きケーブルＢが判別対象のケーブルかを判定する。
【００１２】
請求項２の発明は、請求項１に記載の判別機能付きケーブルの前記導体被覆の任意の第１の測定位置に押し入れて、前記探査用導体と電気的に導通する第１の測定端子と、前記導体被覆の任意の第２の測定位置に押し入れて、前記探査用導体と電気的に導通する第２の測定端子と、前記第１の測定端子と前記第２の測定端子とに接続され、前記第１の測定位置と前記第２の測定位置との間における電気的な値を測定する測定部と、を備えることを特徴とするケーブル判別装置である。
【００１３】
請求項３の発明は、請求項２に記載のケーブル判別装置において、前記測定部で測定された電気的な値が所定の値であるか否かを判定し、判定結果を出力する出力部を備えることを特徴とする。
【００１４】
請求項４の発明は、請求項１に記載の判別機能付きケーブルの前記導体被覆の任意の第１の測定位置に、第１の測定端子を押し入れて前記探査用導体と電気的に導通させる第１の導通ステップと、前記導体被覆の任意の第２の測定位置に、第２の測定端子を押し入れて前記探査用導体と電気的に導通させる第２の導通ステップと、前記第１の測定位置と前記第２の測定位置との間における電気的な値を測定する測定ステップと、前記測定ステップで測定した電気的な値が所定の値であるか否かを判定する判定ステップと、を備えることを特徴とするケーブル判別方法である。
【発明の効果】
【００１５】
請求項１、２および４の発明によれば、２つの測定端子を判別機能付きケーブルの導体被覆に押し入れて、電気的な値を測定するだけで、複数のケーブルのなかから特定・所望のケーブルを容易に判別・識別することができる。しかも、判別機能付きケーブルの導体被覆の任意の位置に測定端子を押し入れることで、任意の位置でケーブルを判別することができる。
【００１６】
請求項１の発明によれば、また、探査用導体がケーブル本体の全周方向にわたって配設されており、測定端子を導体被覆のどこに押し入れても測定端子が探査用導体と電気的に導通するため、より容易かつ迅速にケーブルを判別することができる。
【００１８】
請求項３の発明によれば、測定部で測定された電気的な値が所定の値であるか否かの判定結果、つまり、２つの測定端子を押し入れたケーブルが同一のケーブルであるか否か、が出力部から出力されるため、誰でも容易かつ迅速にケーブルを判別することができる。
【図面の簡単な説明】
【００１９】
【図１】この発明の実施の形態１に係る判別機能付きケーブルを示す正面図（ａ）と、そのＡ−Ａ断面図（ｂ）である。
【図２】この発明の実施の形態に係るケーブル判別装置を示す概略構成図である。
【図３】図２のケーブル判別装置の動作状態を示す概念図である。
【図４】図１の判別機能付きケーブルを図２のケーブル判別装置の測定端子で挟んだ状態を示す断面図である。
【図５】図１の判別機能付きケーブルを図２のケーブル判別装置で判別する様子を示す概念図である。
【図６】この発明の実施の形態２に係る判別機能付きケーブルを示す断面図である。
【図７】この発明の実施の形態に係る他の判別機能付きケーブルを示す断面図である。
【発明を実施するための形態】
【００２０】
以下、この発明を図示の実施の形態に基づいて説明する。
【００２１】
（実施の形態１）
図１〜図５は、この実施の形態を示し、図１は、この実施の形態に係る判別機能付きケーブル１を示す正面図（ａ）と、そのＡ−Ａ断面図（ｂ）であり、図２は、この実施の形態に係るケーブル判別装置１０を示す概略構成図である。この判別機能付きケーブル１は、複数のケーブルのなかから特定のケーブルを容易に判別できるようにする機能を備えたケーブルであり、この実施の形態では、判別機能付きケーブル１が制御ケーブルの場合について、主として説明する。
【００２２】
判別機能付きケーブル１は、主として、ケーブル本体３０と、探査用導体４と、導体被覆５と、を備える。
【００２３】
ケーブル本体３０は、心線２が非導電性の心線被覆３で覆われたケーブルであり、この実施の形態では、３つの心線２が心線被覆３で覆われている。ここで、心線２は、電気伝導体で構成された電線で、周りが絶縁体で覆われていてもよい。また、心線被覆３は、心線２の外周面を覆って保護する絶縁保護被覆であり、所定の可撓性や強度などを有する材料（例えば、ゴム材）で構成されている。このようなケーブル本体３０は、既存・既成の制御ケーブルと同等の構成となっている。
【００２４】
探査用導体４は、ケーブル本体３０の長手方向に沿って配設された電気伝導体であり、ケーブル本体３０の全周方向にわたって配設されている。すなわち、銅などの金属皮膜で構成され、ケーブル本体３０の心線被覆３の外周面を覆い、心線被覆３の長手方向に隙間なく敷設されている。
【００２５】
導体被覆５は、探査用導体４を覆う非導電性の被覆である。すなわち、探査用導体４の外周面を覆って保護する絶縁保護被覆であり、心線被覆３と同様に、所定の可撓性や強度などを有する材料（例えば、ゴム材）で構成されている。この導体被覆５は、ケーブル判別装置１０の測定端子１１、１２を押し入れ（差し込み）可能なように、その硬度などが設定されている。あるいは、測定端子１１、１２を挿入可能な切り込みや開閉窓（端子挿入部）を、導体被覆５の長手方向に沿って連続的に複数設けるようにしてもよい。そして、測定端子１１、１２を導体被覆５に押し入れると、測定端子１１、１２と探査用導体４とが電気的に導通する。換言すると、探査用導体４を介して２つの測定端子１１、１２が通電する。
【００２６】
ここで、探査用導体４は、外部と回路接続されず、外部と電気的に絶縁されている。すなわち、判別機能付きケーブル１が使用される際には、ケーブル本体３０のみが機器に接続されたり接地されたりし、探査用導体４は、外部と電気的に接続されたり接地されたりすることはない。このように、探査用導体４は、ケーブル本体３０のみに接して付帯的・付属的に添えられたものとなっている。
【００２７】
一方、ケーブル判別装置１０は、複数のケーブルのなかから特定のケーブルを判別するための装置であり、主として、第１の測定端子１１と、第２の測定端子１２と、装置本体１３と、を備える。
【００２８】
第１の測定端子１１は、判別機能付きケーブル１の導体被覆５の任意の第１の測定位置に押し入れて、探査用導体４と電気的に導通する端子である。すなわち、電気伝導体で構成され、図４に示すように、クリップ状（トング状）で両先端部１１ａ，１１ｂが尖っている。そして、第１の測定端子１１で判別機能付きケーブル１を挟んで、両先端部１１ａ、１１ｂを導体被覆５の任意の位置に差し込むことで、探査用導体４と電気的に導通する。
【００２９】
第２の測定端子１２は、判別機能付きケーブル１の導体被覆５の任意の第２の測定位置に押し入れて、探査用導体４と電気的に導通する端子であり、第１の測定端子１１と同等の構成となっている。
【００３０】
また、第１の測定端子１１は、第１のテストリード１１１の一端部に接続され、第１のテストリード１１１の他端部は、装置本体１３内の測定部１３１に接続されている。同様に、第２の測定端子１２は、第２のテストリード１１２の一端部に接続され、第２のテストリード１１２の他端部は、装置本体１３内の測定部１３１に接続されている。また、この実施の形態では、テストリード１１１、１１２は、判別機能付きケーブル１と同等以上の長さを有し、判別機能付きケーブル１のどこででも測定ができるようになっている。これに対して、テストリード１１１、１１２の長さを短くし、テストリード１１１、１１２の一方を判別機能付きケーブル１に接続し他方を接地するようにしてもよい。
【００３１】
また、この実施の形態では、テストリード１１１、１１２は、装置本体１３内に収容されて出し入れ自在となっている。これに対して、テストリード１１１、１１２を装置本体１３に対して着脱自在にして、装置本体１３とは別に持ち運びや保管ができるようにしてもよい。
【００３２】
装置本体１３は、−端子と＋端子を備え、−端子に第１のテストリード１１１（第１の測定端子１１）が接続され、＋端子に第２のテストリード１１２（第２の測定端子１２）が接続されている。また、装置本体１３は、測定部１３１と出力部１３２を備える。
【００３３】
測定部１３１は、テストリード１１１、１１２を介して第１の測定端子１１と第２の測定端子１２とに接続され、第１の測定位置と第２の測定位置との間における電気的な値を測定するものである。すなわち、テスタと同様に、測定端子１１、１２が接している２点間における電圧値、電流値および電気抵抗値を含む電気的な値を測定する電気測定器である。
【００３４】
例えば、図３に示すように、測定端子１１、１２でそれぞれ判別機能付きケーブル１の測定位置Ｐ１、Ｐ２を挟んだ状態で、電流Ｉを流すことで、探査用導体４の第１の測定位置Ｐ１と第２の測定位置Ｐ２との間における抵抗値（電気的な値）を測定する。同様に、電圧を負荷して測定位置Ｐ１、Ｐ２間の電流値を測定したりする。
【００３５】
ここで、装置本体１３には、測定部１３１による測定値を表示する表示部（図示せず）を備える。また、電圧値、電流値および電気抵抗値を含む電気的な値のうち、どの値を測定するかを選択できるようになっている。
【００３６】
出力部１３２は、測定部１３１で測定された電気的な値が所定の値であるか否かを判定し、判定結果を出力するものである。すなわち、測定部１３１による測定値が、同じ判別機能付きケーブル１の２点間において測定されるべき値（所定の値）であるか否かを判定し、所定の値の場合には音やランプなどで「判別良」を出力し、所定の値でない場合には音やランプなどで「判別否」を出力する。
【００３７】
例えば、上記のように、測定位置Ｐ１、Ｐ２間における抵抗値を測定した場合、同じ判別機能付きケーブル１の測定位置Ｐ１、Ｐ２間であれば、測定されるべき値は、ほぼゼロである。従って、測定部１３１による測定値がほぼゼロであれば、「判別良」を出力し、測定部１３１による測定値がほぼゼロでなければ、「判別否」を出力する。同様に、電圧を負荷した場合には、測定部１３１による測定値が所定の電流値（所定の値）であるか否か（ゼロでないかゼロか）を判定して出力する。このようにして、２つの測定端子１１、１２が同じ判別機能付きケーブル１に押し入れられているか否かが判定、出力される。
【００３８】
次に、このような構成の判別機能付きケーブル１およびケーブル判別装置１０の作用、ケーブル判別装置１０によるケーブル判別方法などについて説明する。
【００３９】
ここで、図５に示すように、判別機能付きケーブル１で構成された制御ケーブル１Ａ、１Ｂ、１Ｃの一端部が、発変電所建屋２０１内の制御盤（機器）２０２に接続され、制御ケーブル１Ａ、１Ｂ、１Ｃが床Ｇ下のケーブルピット２０５内に敷設されて、他端部が遮断器（機器）２０３の操作箱２０４に接続されている。そして、ケーブルピット２０５内で第１の制御ケーブル１Ａを判別して取り替える場合について説明する。また、ケーブルピット２０５長さは、数百ｍに及ぶ。
【００４０】
まず、制御盤２０２側においては、一端部が制御盤２０２に接続されているため、作業者は、第１の制御ケーブル１Ａを容易かつ確実に認識・識別することができる。この第１の制御ケーブル１Ａの一端部側（任意の第１の測定位置）に第１の測定端子１１を挟んで導体被覆５に押し入れ、第１の測定端子１１を探査用導体４に電気的に導通させる（第１の導通ステップ）。ここで、第１の測定端子１１（第１のテストリード１１１）をアースに接続してもよいし、装置本体１３の−端子に接続してもよい。このように、本発明では、アース接続も測定部１３１への接続に含まれる。
【００４１】
次に、ケーブルピット２０５内において、いずれかの制御ケーブル１Ａ、１Ｂ、１Ｃの中央部（ピット２０５内の部位、任意の第２の測定位置）に第２の測定端子１２を挟んで導体被覆５に押し入れ、第２の測定端子１２を探査用導体４と電気的に導通させる（第２の導通ステップ）。この状態で、ケーブル判別装置１０の測定部１３１で、測定端子１１、１２間（第１の測定位置と第２の測定位置との間）における電気的な値を測定する（測定ステップ）。例えば、上記のように、電気抵抗値を測定する。
【００４２】
続いて、測定された電気的な値が所定の値であるか否かが出力部１３２によって判定される（判定ステップ）。その結果、所定の値でない場合には、つまり、第２の測定端子１２で第１の制御ケーブル１Ａを挟んでいない場合には、出力部１３２から「判別否」が出力されるため、別の制御ケーブル１Ａ、１Ｂ、１Ｃに第２の測定端子１２を挟んで、同様の測定、判定を行う。
【００４３】
そして、第１の制御ケーブル１Ａに第２の測定端子１２を挟んで測定を行うと、出力部１３２から「判別良」が出力されるため、作業者は、この判別機能付きケーブル１が第１の制御ケーブル１Ａであると判別することができるものである。また、ケーブルピット２０５以外の位置、例えば、第１の制御ケーブル１Ａの他端部側である操作箱２０４側（任意の第２の測定位置）で第１の制御ケーブル１Ａを判別するにも、同様に制御ケーブル１Ａ、１Ｂ、１Ｃに対して測定、判定を行う。
【００４４】
このように、この判別機能付きケーブル１、ケーブル判別装置１０およびケーブル判別方法によれば、２つの測定端子１１、１２を判別機能付きケーブル１の導体被覆５に押し入れて、電気的な値を測定するだけで、複数の判別機能付きケーブル１のなかから特定・所望の判別機能付きケーブル１を容易かつ迅速に判別・識別することができる。しかも、判別機能付きケーブル１の導体被覆５の長手方向の任意の位置に測定端子１１、１２を押し入れることで、任意の位置で判別機能付きケーブル１を判別することができる。この結果、判別機能付きケーブル１の誤切断による停電などを回避することができるとともに、発変電所工事や故障対応に要する時間と労力を削減することができる。
【００４５】
また、探査用導体４および導体被覆５がケーブル本体３０の全周方向にわたって配設されており、測定端子１１、１２を導体被覆５のどこに押し入れても測定端子１１、１２が探査用導体４と電気的に導通する。つまり、判別機能付きケーブル１の長手方向のみならず周方向の任意の位置で測定できるため、より容易かつ迅速に判別機能付きケーブル１を判別することができる。
【００４６】
一方、測定部１３１で測定された電気的な値が所定の値であるか否かの判定結果、つまり、測定端子１１、１２を押し入れた判別機能付きケーブル１が同一の判別機能付きケーブル１であるか否か、が出力部１３２から出力されるため、誰でも容易かつ迅速に判別機能付きケーブル１を判別することができる。
【００４７】
（実施の形態２）
図６は、この実施の形態に係る判別機能付きケーブル１を示す断面図（軸線に垂直な面での断面図）である。この実施の形態では、探査用導体４と導体被覆５が一体として探査用電線５０を構成し、この探査用電線５０がケーブル本体３０の長手方向に沿って配設されている点で実施の形態１と構成が異なり、実施の形態１と同等の構成については、同一符号を付することでその説明を省略する。
【００４８】
すなわち、探査用電線５０は、既存・既成の被覆電線で構成され、線状で導電性の探査用導体４の外周が、電気絶縁性の導体被覆５で覆われている。そして、このような探査用電線５０がケーブル本体３０の長手方向に沿って配設されている。ここで、配設方法はどのようなものであってもよく、例えば、バンドなどの締結手段で探査用電線５０をケーブル本体３０に取り付けたり、接着材などの接合手段で探査用電線５０をケーブル本体３０に接合したりしてもよい。
【００４９】
このような実施の形態によれば、一体である探査用電線５０がケーブル本体３０に配設されているだけであるため、既存・既製のケーブルや電線を利用して本判別機能付きケーブル１を容易に製作することができる。例えば、既存・既製のケーブル本体３０に既存・既製の探査用電線５０を配設するだけで、容易、低コストで製作することができる。
【００５０】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、ケーブル判別装置１０の装置本体１３に出力部１３２を備えているが、出力部１３２を備えずに、既存・既成のテスタでケーブル判別装置１０を構成してもよい。
【００５１】
また、実施の形態１において、導電性塗料である探査用導体４をケーブル本体３０の全周面に敷設・塗布し、この探査用導体４を非導電性塗料である導体被覆５で覆うようにしてもよい。さらに、実施の形態２において、図７に示すように、電線状の探査用導体４をケーブル本体３０に接して配設し、この探査用導体４を導体被覆５で覆うようにしてもよい。
【符号の説明】
【００５２】
１        判別機能付きケーブル
２        心線
３        心線被覆
３０      ケーブル本体
４        探査用導体
５        導体被覆
５０      探査用電線
１０      ケーブル判別装置
１１      第１の測定端子（測定端子）
１２      第２の測定端子（測定端子）
１３      装置本体
１３１    測定部
１３２    出力部
【図１】
0006638420.tif 000002
【図２】
0006638420.tif 000003
【図３】
0006638420.tif 000004
【図４】
0006638420.tif 000005
【図５】
0006638420.tif 000006
【図６】
0006638420.tif 000007
【図７】
0006638420.tif 000008